(57)【要約】【課題】電子機器の操作説明をユーザーに理解し易いように表示する。【解決手段】電子機器の操作説明のための画像を表示部に表示する表示装置であって、全画像について一部のオブジェクトが共通する複数の画像から構成される第１画像群の各画像を所定の時間幅未満の時間幅で順次切り替えて前記表示部に表示し、前記第１画像群の表示後に、続いて前記第１画像群とは前記一部のオブジェクトが共通しない第２画像群を前記表示部に表示する場合は、前記第１画像群の最後の画像を表示する時間幅を前記所定の時間幅以上の時間幅とすることを特徴とする表示装置。【選択図】図２
2018004978.tif 000002
【特許請求の範囲】
【請求項１】
電子機器の操作説明のための画像を表示部に表示する表示装置であって、
全画像について一部のオブジェクトが共通する複数の画像から構成される第１画像群の各画像を所定の時間幅未満の時間幅で順次切り替えて前記表示部に表示し、
前記第１画像群の表示後に、続いて前記第１画像群とは前記一部のオブジェクトが共通しない第２画像群を前記表示部に表示する場合は、前記第１画像群の最後の画像を表示する時間幅を前記所定の時間幅以上の時間幅とすることを特徴とする表示装置。
【請求項２】
前記第１画像群と前記第２画像群とを含む複数の画像群の連続した表示を繰り返し実行し、前記第２画像群の最後の画像を表示する時間幅も前記所定の時間幅以上の時間幅とすることを特徴とする請求項１に記載に表示装置。
【請求項３】
電子機器の操作説明のための画像を表示部に表示する表示装置であって、
全画像について一部のオブジェクトが共通する複数の画像から構成される第１画像群の各画像を所定の時間幅未満の時間幅で順次切り替えて前記表示部に表示し、
前記第１画像群の表示直前に、前記第１画像群とは前記一部のオブジェクトが共通しない第２画像群を前記表示部に表示する場合は、前記第２画像群の最後の画像を表示する時間幅を前記所定の時間幅以上の時間幅とすることを特徴とする表示装置。
【請求項４】
前記第２画像群と前記第１画像群とを含む複数の画像群の連続した表示を繰り返し実行し、前記第１画像群の最後の画像を表示する時間幅も前記所定の時間幅以上の時間幅とすることを特徴とする請求項３に記載に表示装置。
【請求項５】
前記第１画像群と前記第２画像群は、前記電子機器における異なる操作対象についての説明をするための画像群であることを特徴とする請求項１〜請求項４のいずれかに記載の表示装置。
【請求項６】
前記第１画像群と前記第２画像群は、前記電子機器における同一の操作対象についての説明をするための画像群であることを特徴とする請求項１〜請求項４のいずれかに記載の表示装置。
【請求項７】
前記所定の時間幅は３秒であることを特徴とする請求項１〜請求項６のいずれかに記載の表示装置。
【請求項８】
前記所定の時間幅以上とする場合の画像群の最後の画像を表示する時間幅を、当該画像群とともに表示する文字列の量に応じて決定することを特徴とする請求項１〜請求項７のいずれかに記載の表示装置。
【請求項９】
前記表示部は、前記電子機器が有する操作パネルであることを特徴とする請求項１〜請求項８のいずれかに記載の表示装置。
【請求項１０】
前記表示部は、前記電子機器と組み合わせて用いられるコンピューターが表示を制御するディスプレイであることを特徴とする請求項１〜請求項８のいずれかに記載の表示装置。
【請求項１１】
電子機器の操作説明のための画像を表示部に表示する処理をコンピューターに実行させる表示制御プログラムであって、
全画像について一部のオブジェクトが共通する複数の画像から構成される第１画像群の各画像を所定の時間幅未満の時間幅で順次切り替えて前記表示部に表示し、前記第１画像群の表示後に、続いて前記第１画像群とは前記一部のオブジェクトが共通しない第２画像群を前記表示部に表示する場合は、前記第１画像群の最後の画像を表示する時間幅を前記所定の時間幅以上の時間幅とする処理、を実行させることを特徴とする表示制御プログラム。
【請求項１２】
電子機器の操作説明のための画像を表示部に表示する処理をコンピューターに実行させる表示制御プログラムであって、
全画像について一部のオブジェクトが共通する複数の画像から構成される第１画像群の各画像を所定の時間幅未満の時間幅で順次切り替えて前記表示部に表示する直前に、前記第１画像群とは前記一部のオブジェクトが共通しない第２画像群を前記表示部に表示する場合は、前記第２画像群の最後の画像を表示する時間幅を前記所定の時間幅以上の時間幅とする処理、を実行させることを特徴とする表示制御プログラム。
【発明の詳細な説明】
【技術分野】
【０００１】
本発明は、表示装置および表示制御プログラムに関する。
【背景技術】
【０００２】
ユーザーに電子機器の操作手順を説明、案内するための動画を表示することが従来より行われていた。
【０００３】
また、操作手順を案内するためのガイダンス画像を表示する表示部と、前記操作手順に関係する装置状態を検出する検出手段と、前記検出手段により検出された前記装置状態に対応して前記ガイダンス画像が表示する操作手順との操作手順の違いを示すための補助画像を前記ガイダンス画像とともに表示する表示制御手段とを備える、画像形成装置が知られている（特許文献１参照）。 
【先行技術文献】
【特許文献】
【０００４】
【特許文献１】特開２０１２‐６３４１５号公報
【発明の概要】
【発明が解決しようとする課題】
【０００５】
画像データを保存する記憶手段の容量節約のために、構成する画像数を制限した上で動画としてガイダンス画像を表示することがある。動画を構成する画像数が制限されることで、説明すべき操作手順に対して、ある程度簡素化された動画となる。このような場合、動画による操作手順の説明の流れの中で、画像の構成が比較的大きく切り替わった際に、ユーザーの理解が追い付かない虞がある。
【０００６】
また、操作手順を説明するための文字列が前記動画と併せて表示されることがあるが、ユーザーが当該文字列を読み終わる前に場面が切り替わって、ユーザーが操作手順を理解し難いという問題が生じ得る。
【０００７】
本発明は上述した課題の少なくとも一つに鑑みてなされたものであり、機器の操作説明をユーザーに理解し易いように表示する表示装置および表示制御プログラムを提供する。
【課題を解決するための手段】
【０００８】
本発明の態様の１つは、電子機器の操作説明のための画像を表示部に表示する表示装置であって、全画像について一部のオブジェクトが共通する複数の画像から構成される第１画像群の各画像を所定の時間幅未満の時間幅で順次切り替えて前記表示部に表示し、前記第１画像群の表示後に、続いて前記第１画像群とは前記一部のオブジェクトが共通しない第２画像群を前記表示部に表示する場合は、前記第１画像群の最後の画像を表示する時間幅を前記所定の時間幅以上の時間幅とする。また、電子機器の操作説明のための画像を表示部に表示する表示装置であって、全画像について一部のオブジェクトが共通する複数の画像から構成される第１画像群の各画像を所定の時間幅未満の時間幅で順次切り替えて前記表示部に表示し、前記第１画像群の表示直前に、前記第１画像群とは前記一部のオブジェクトが共通しない第２画像群を前記表示部に表示する場合は、前記第２画像群の最後の画像を表示する時間幅を前記所定の時間幅以上の時間幅とする。
【０００９】
このような構成によれば、第１画像群から一部のオブジェクトが共通しない第２画像群へ表示が切り替わる際、第１画像群の最後の画像が、他の画像よりも長い時間表示される。また、第２画像群から一部のオブジェクトが共通しない第１画像群へ表示が切り替わる際、第２画像群の最後の画像が、他の画像よりも長い時間表示される。つまり、表示部に表示される第１画像群や第２画像群を見るユーザーにとっては、これら画像群による電子機器の操作説明が理解し易くなる。
【００１０】
本発明の態様の１つは、表示装置は、前記第１画像群と前記第２画像群とを含む複数の画像群の連続した表示を繰り返し実行し、前記第２画像群の最後の画像を表示する時間幅も前記所定の時間幅以上の時間幅とする。また、表示装置は、前記第２画像群と前記第１画像群とを含む複数の画像群の連続した表示を繰り返し実行し、前記第１画像群の最後の画像を表示する時間幅も前記所定の時間幅以上の時間幅とする。これにより、表示部に表示される第１画像群と第２画像群とを含む複数の画像群が連続する動画を繰り返し見るユーザーにとっては、当該動画による電子機器の操作説明が理解し易くなる。
【００１１】
本発明の態様の１つは、前記第１画像群と前記第２画像群は、前記電子機器における異なる操作対象についての説明をするための画像群であるとしてもよい。当該構成によれば、構成が大きく異なる第１画像群、第２画像群が連続して表示される場合に、ユーザーは、それらによる説明を的確に理解することができる。
あるいは、前記第１画像群と前記第２画像群は、前記電子機器における同一の操作対象についての説明をするための画像群であるとしてもよい。当該構成によれば、同一の操作対象についての例えばアングルが異なる第１画像群、第２画像群が連続して表示される場合に、ユーザーは、それらによる説明を的確に理解することができる。
【００１２】
本発明の態様の１つは、前記所定の時間幅は３秒であるとしてもよい。前記所定の時間幅を３秒とすることで、認知心理学的にもユーザーは第１画像群（及び又は第２画像群）による説明を的確に理解できるようになると言える。
【００１３】
本発明の態様の１つは、表示装置は、前記所定の時間幅以上とする場合の画像群の最後の画像を表示する時間幅を、当該画像群とともに表示する文字列の量に応じて決定するとしてもよい。当該構成によれば、画像群とともに表示される文字列による操作説明を、ユーザーは的確に理解することが可能となる。
【００１４】
なお、前記表示部は、前記電子機器が有する操作パネルであってもよいし、前記電子機器と組み合わせて用いられるコンピューターが表示を制御するディスプレイであってもよい。つまり、前記電子機器が実質的に本発明にかかる表示装置であったり、前記電子機器と組み合わせて用いられるコンピューターが本発明にかかる表示装置であったりする。
【００１５】
本発明の技術的思想は、表示装置という物以外によっても実現される。例えば、表示装置が実行する処理に相当する方法や、当該方法をコンピューターに実行させるプログラム（表示制御プログラム）や、当該プログラムを記憶したコンピューター読み取り可能な記憶媒体等も、夫々に発明として成り立つ。
【図面の簡単な説明】
【００１６】
【図１】表示装置の主要な構成を簡易的に示すブロック図。
【図２】表示制御処理を示すフローチャート。
【図３】画像群条件テーブルを示す図。
【図４】ガイダンス動画を構成する画像の遷移例を示す図。
【図５】ガイダンス動画を構成する画像の別の遷移例を示す図。
【図６】表示時間下限値テーブルを示す図。
【図７】変形例にかかる表示制御処理を示すフローチャート。
【発明を実施するための形態】
【００１７】
以下、各図を参照しながら本発明の実施形態を説明する。なお各図は、本実施形態を説明するための例示に過ぎない。
【００１８】
１．装置の概略的説明：
図１は、本実施形態にかかる表示装置１０の主要な構成をブロック図により例示している。表示装置１０は、電子機器３０の操作説明のための画像を表示部１３に表示する。電子機器３０には、例えば、プリンター、スキャナー、いわゆる複合機（マルチファンクションプリンター）、プロジェクター等、様々な製品が該当する。図１において示唆しているように、例えば、電子機器３０自身が表示装置１０として振る舞う。つまり電子機器３０が表示部１３を有しており、電子機器３０が、自身に関する操作手順を説明するための画像を表示部１３に表示する場合に、この電子機器３０を表示装置１０と呼ぶことができる。
【００１９】
図１の例では、電子機器３０は、制御部１１、表示部１３、操作受付部１４、記憶部１５、動作部２０等を含んでいる。制御部１１は、例えば、ＣＰＵ、ＲＯＭ、ＲＡＭ等を有するＩＣや、その他の記憶媒体等により構成される。制御部１１では、ＣＰＵが、ＲＯＭ等に保存されたプログラムに従った演算処理を、ＲＡＭ等をワークエリアとして用いて実行することにより、電子機器３０（あるいは表示装置１０）の挙動を制御する。制御部１１は、このようなプログラムの一種としての表示制御プログラム１２を搭載している。記憶部１５は、ハードディスクドライブやフラッシュメモリー等の記憶装置や、制御部１１の一部分によって構成される。
【００２０】
表示部１３は、視覚的情報を表示するための手段であり、例えば、液晶ディスプレイ（ＬＣＤ）や、有機ＥＬディスプレイ等により構成される。また、表示部１３は、ディスプレイと、当該ディスプレイを駆動するための駆動回路とを含む構成であってもよい。また、表示部１３は画像をスクリーンに投影する投影機構であってもよい。
【００２１】
操作受付部１４は、外部（ユーザー）の操作を受け付けるための入力手段であり、例えば、物理的なボタンや、タッチパネルや、マウスや、キーボード等によって実現される。むろん、タッチパネルは、表示部１３の一機能として実現されるとしてもよい。また、表示部１３および操作受付部１４を含めて、電子機器３０の操作パネルと呼ぶことができる。
【００２２】
動作部２０は、主に電子機器３０の機能を具体的に実現するための稼働部分である。例えば、電子機器３０がインクジェットプリンターであれば、動作部２０は、液体吐出を行う印刷ヘッド２１や、印刷ヘッド２１を搭載して移動するキャリッジ２２や、用紙等の印刷媒体を搬送するための搬送部２３等を有している。むろん、動作部２０の構成は、電子機器３０がどのような製品であるかによって異なる。例えば、電子機器３０がプロジェクターである場合に、動作部２０は投影機構であって、表示部１３を兼ねていてもよい。
【００２３】
上述したように電子機器３０を表示装置１０と呼んでもよいし、電子機器３０の一部分、具体的には図１に示した２点鎖線の枠内の構成を表示装置１０と呼んでもよい。
【００２４】
あるいは、前記２点鎖線の枠内の構成（表示装置１０）と動作部２０は、互いに独立した製品であってもよい。この場合、表示装置１０は、コンピューター（パーソナルコンピューター、スマートフォン、タブレット型端末、携帯電話機等）、つまり制御装置であり、動作部２０が当該制御装置によって挙動が制御されるプリンター等の電子機器に該当する。制御装置（表示装置１０）と電子機器（動作部２０）とは、有線あるいは無線により通信可能に接続している。さらに、表示部１３、操作受付部１４、記憶部１５は、制御装置（表示装置１０）と一体化した手段であってもよいし、制御装置（表示装置１０）に外付けされた周辺機器であってもよい。
【００２５】
このように表示装置１０と動作部２０が互いに独立した製品であると仮定したとき、表示部１３は、電子機器（動作部２０）と組み合わせて用いられるコンピューター（制御装置、表示装置１０）が表示を制御するディスプレイであると言える。
【００２６】
２．ガイダンス動画の表示制御処理：
図２は、制御部１１が表示制御プログラム１２と協働して実現する電子機器３０の操作手順を説明するためのガイダンス動画の表示制御処理を、フローチャートにより示している。
【００２７】
制御部１１は、ガイダンス動画を表示部１３に表示する契機となる所定条件が成立した場合に、表示制御処理を開始する。ここで言う所定条件とは、基本的には、ユーザーによる操作受付部１４への操作に応じて成立するものである。例えば、ユーザーが操作受付部１４を操作してプリンター（電子機器３０）に印刷開始を指示する前に所定の操作をした場合に、制御部１１は、プリンターへの用紙のセットの手順を説明するガイダンス動画を表示すべき所定条件（条件α）が成立したと判断する。また、例えば、ユーザーが操作受付部１４を操作してプリンター（電子機器３０）におけるインクカートリッジの交換手順の教示を求めた場合に、制御部１１は、インクカートリッジの交換手順を説明するガイダンス動画を表示すべき所定条件（条件β）が成立したと判断する。
【００２８】
制御部１１は、前記成立した条件に従って再生すべき動画データＶＤを記憶部１５から読み出して、動画データＶＤに基づくガイダンス動画を表示部１３に表示させる。一つの動画データＶＤは、全画像について一部のオブジェクトが共通する複数の画像（複数のフレーム）から構成される画像群である。記憶部１５には、このような動画データＶＤ（画像群）が予め複数記憶されている。ただし、本実施形態において一つの画像群を構成する画像数の最小値は１である。
【００２９】
記憶部１５に記憶されている複数の画像群を、便宜上、画像群Ａ、画像群Ｂ、画像群Ｃ、画像群Ｄ、画像群Ｅ…等と名付ける。前記成立した条件と、表示部１３に表示させるべき画像群（画像群の組み合わせ）との対応関係は予め定められている。
図３は、このような対応関係を予め定めた画像群条件テーブル４０の一例である。画像群条件テーブル４０は、例えば、記憶部１５に予め記憶されている。画像群条件テーブル４０には、ガイダンス動画を表示部１３に表示する契機となる条件（例えば、条件α、条件β…）と、条件が成立した場合に表示すべき画像群の組み合わせとの対応関係が定義されている。画像群の組み合わせとは、画像群の表示順序も含んだ意味である。
【００３０】
図３に例示した画像群条件テーブル４０によれば、制御部１１は、条件αが成立した場合には、画像群Ａ→画像群Ｂの順序でこれら画像群Ａ，Ｂを表示部１３に繰り返し（ループ）表示させる。また、同様に図３に例示した画像群条件テーブル４０によれば、制御部１１は、条件βが成立した場合には、画像群Ｃ→画像群Ｄ→画像群Ｅの順序でこれら画像群Ｃ，Ｄ，Ｅを表示部１３に繰り返し表示させる。さらに画像群条件テーブル４０は、画像群の組み合わせを構成する画像群同士の構成の相違の有無（相違有無）についても予め規定している。相違有無の意味については後述する。
【００３１】
次に、図２のフローチャートを説明する。制御部１１は、当該フローチャートを画像群を構成する一画像毎に実行する。つまり、制御部１１は、複数の画像群を所定の順序で表示する処理の最中、当該フローチャートを繰り返し実行する。判り易くするために、前記条件αが成立し、画像群条件テーブル４０に従って画像群Ａ→画像群Ｂの順序で画像群Ａ，Ｂを表示部１３に繰り返し表示させる場合を想定して当該フローチャートを説明する。
【００３２】
このような場合、制御部１１は、次に表示する画像（現時点では表示中ではなく、かつ現時点を基準としたとき最初に表示する画像）が、現画像群（現在、表示部１３に表示しようとしている或いは現在表示中の画像群）の最終画像であるか否かを判定する（ステップＳ１００）。最終画像とは、画像群の中で表示する順序が最後である画像のことである。例えば、画像群Ａの表示を開始する直前においては、現画像群には画像群Ａが該当し、次に表示する画像には、画像群Ａの先頭画像（画像群の中で表示する順序が最初である画像）が該当する。また、画像群Ａの先頭画像≠画像群Ａの最終画像、であれば、画像群Ａの先頭画像を表示している時点においては、現画像群には画像群Ａが引き続き該当し、次に表示する画像には、画像群Ａの二番目の画像が該当する。
【００３３】
動画データＶＤには、例えば、画像群内の最終画像について最終画像であることを識別するための識別情報が含められている。従って、制御部１１は、この識別情報に基づいて、次に表示する画像が、現画像群の最終画像であるか否かを判定することができる。次に表示する画像が現画像群の最終画像であればステップＳ１００からステップＳ１１０へ進み、次に表示する画像が現画像群の最終画像でなければステップＳ１００からステップＳ１７０へ進む。
【００３４】
ステップＳ１７０では、制御部１１は、次に表示する画像の表示時間を時間Ｔ２に設定し、当該設定した時間Ｔ２の間、当該次の画像を表示部１３に表示させる。時間Ｔ２は、“所定の時間幅”未満の時間幅に該当する。本実施形態では、具体例として、所定の時間幅（時間Ｔ１）＝３秒とし、時間Ｔ２＝１秒としている。３秒という時間は、認知心理学上、人間が一つの画像を正確に認識するために十分な時間の好適な例とされている。ただし、時間Ｔ１は、厳密に３秒でなくてもよく、例えば、小数点以下を四捨五入したときに３秒となる時間であってもよい。また、時間Ｔ２は、時間Ｔ１未満であればよく、１秒に限定されるものではない。
【００３５】
このようなガイダンス動画の表示制御処理においては、少なくとも画像群の最終画像に該当しない画像を順次表示する間は、ステップＳ１００の判定とステップＳ１７０の処理とが繰り返される。つまり、制御部１１は、画像群の各画像を所定の時間幅（時間Ｔ１）未満の時間幅（時間Ｔ２）で順次切り替えて表示部１３に表示する。
【００３６】
一方、ステップＳ１１０では、制御部１１は、現画像群に対して次画像群は構成が異なるか否かを判定する。次画像群とは、現画像群の最終画像の表示に続いて表示の対象となる画像群である。例えば、現時点における次に表示する画像が、画像群Ａの最終画像であれば、次画像群には画像群Ｂが該当する。あるいは、現時点における次に表示する画像が、画像群Ｂの最終画像であれば、次画像群には画像群Ａが該当する。なお、次画像群は、直前の画像群の最終画像の表示を開始した瞬間に、現画像群となる。
【００３７】
制御部１１は、ステップＳ１１０の判定は、画像群条件テーブル４０に規定された相違有無の情報を参照することにより実行可能である。図３に例示した画像群条件テーブル４０によれば、条件αに対応して、画像群Ａと画像群Ｂには“相違有り”と規定されている。そのため、制御部１１は、現画像群（例えば、画像群Ａ）に対して次画像群（画像群Ｂ）は構成が異なると判定することができる。
【００３８】
上述したように、一つの画像群はそれを構成する全画像において一部のオブジェクトが共通している。本実施形態では、続けて表示される二つの画像群を比較したとき、当該一部のオブジェクトが共通しない関係である場合に、当該二つの画像群のいずれか一方を第１画像群と呼び、他方を第２画像群と呼ぶ。一部のオブジェクトとは、画像内の主要な一部分という意味である。
【００３９】
例えば、ある画像群が、プリンターのトレイの開け方を案内する複数の画像によって構成されている場合、トレイが当該画像群における一部のオブジェクトの一つに該当する。また、別の画像群が、前記トレイへの用紙のセットの手順を案内する複数の画像によって構成されている場合、用紙が当該別の画像群における一部のオブジェクトの一つに該当する。トレイと用紙とは明らかに異なるオブジェクトであるため、このような二つの画像群の間では、第１画像群と第２画像群との関係が成立すると言える。つまり、第１画像群と第２画像群は、電子機器３０における異なる操作対象についての説明をするための画像群であると言える。
【００４０】
また、ある画像群が、トレイへの用紙のセットの手順を一定のアングル（角度、視点）の複数の画像にて案内するものであり、別の画像群が、当該トレイへの用紙のセットの手順を別の一定のアングルの複数の画像にて案内するものであるとする。これら二つの画像群が示す操作対象は用紙という点では同じであるが、オブジェクト（用紙）のアングル等を含む画像の構成は互いに異なっているため、このような二つの画像群の間では、一部のオブジェクトが共通していない、つまり第１画像群と第２画像群との関係が成立する。つまり、第１画像群と第２画像群は、電子機器３０における同一の操作対象（例えば用紙）についての説明をするための画像群であるとしてもよい。
【００４１】
画像群条件テーブル４０に例示した画像群の組み合わせを構成する画像群同士は、予め、第１画像群と第２画像群との関係が成立するか否かが上述したように判定されている。そして、第１画像群と第２画像群との関係が成立すると判定された画像群の対については、画像群条件テーブル４０において、相違有無の情報が“相違有り”に規定され、第１画像群と第２画像群との関係が成立しないと判定された画像群の対については、画像群条件テーブル４０において、相違有無の情報が“相違無し”に規定される。ちなみに図３に例示した画像群条件テーブル４０によれば、条件βに対応して、画像群Ｃと画像群Ｄとの対には“相違有り”が規定され、画像群Ｄと画像群Ｅとの対には“相違有り”が規定され、画像群Ｅと画像群Ｃとの対には“相違無し”が規定されている。
【００４２】
制御部１１は、現画像群に対して次画像群は構成が異なる場合（ステップＳ１１０において“Ｙｅｓ”）、ステップＳ１２０へ進み、現画像群に対して次画像群は構成が異ならない（画像群条件テーブル４０に“相違無し”と規定されている）場合（ステップＳ１１０において“Ｎｏ”）、ステップＳ１５０へ進む。
【００４３】
ステップＳ１２０では、制御部１１は、現画像群のトータル表示時間が、文字量に応じた下限値に達するか否かを判定する。現画像群のトータル表示時間が当該下限値に達する場合（ステップＳ１２０において“Ｙｅｓ”）、ステップＳ１３０へ進み、現画像群のトータル表示時間が当該下限値未満である場合（ステップＳ１２０において“Ｎｏ”）、ステップＳ１４０へ進む。
【００４４】
ここで、図２に示すステップＳ１２０，Ｓ１４０，Ｓ１５０，Ｓ１６０を、文字量に応じた表示制御処理、と呼ぶことにする。文字量に応じた表示制御処理は、ガイダンス動画の表示制御処理の一部であるが、本発明の概念上必須の構成ではない。従って、文字量に応じた表示制御処理を含んだガイダンス動画の表示制御処理（図２）だけでなく、文字量に応じた表示制御処理を含まないガイダンス動画の表示制御処理も本実施形態による開示範囲である。文字量に応じた表示制御処理を含まないガイダンス動画の表示制御処理においては、制御部１１は、ステップＳ１１０で“Ｙｅｓ”と判定したら直接ステップＳ１３０へ進み、ステップＳ１１０で“Ｎｏ”と判定したら直接ステップＳ１７０へ進む（図２における２点鎖線の矢印参照）。
【００４５】
文字量に応じた表示制御処理を説明する前に、ステップＳ１３０の説明をする。
ステップＳ１３０では、制御部１１は、次に表示する画像（現画像群の最終画像）の表示時間を時間Ｔ１に設定し、当該設定した時間Ｔ１の間、当該次の画像を表示部１３に表示させる。あるいはステップＳ１３０では、画像の表示時間を時間Ｔ１よりも長い時間（例えば４秒）に設定してもよい。このようなガイダンス動画の表示制御処理においては、現画像群の最終画像は、現画像群が次画像群と構成が異なる場合に、表示時間として時間Ｔ１以上の時間が設定される。
【００４６】
図４は、ガイダンス動画の表示制御処理により表示部１３に表示される画像の遷移例を示している。図４の例では、画像群Ａ→画像群Ｂ→画像群Ａ…というように、画像群Ａ，Ｂが繰り返し表示される様子を示している。図４（および図５）では、符号ＥＦは各画像群の最終画像を示し、符号Ｆは各画像群の最終画像に該当しない画像を示している。図４の例では、画像群Ａは、プリンターのトレイへの用紙のセットの手順を案内する複数の画像Ｆ，ＥＦによって構成されており、画像群Ｂは、当該トレイに置かれた用紙をより正確に位置決めする手順を案内する複数の画像Ｆ，ＥＦによって構成されている。この場合、画像群Ａと画像群Ｂは、いずれも用紙を操作対象として含んでいるが、図４の例から明らかなように画像のアングルが互いに異なるため、これら画像群Ａと画像群Ｂには、第１画像群と第２画像群の関係性が成り立つ（構成に相違有り）。従って、画像群Ａの画像Ｆや画像群Ｂの画像Ｆは、各々の表示時間が時間Ｔ２に設定されて表示され（ステップＳ１７０）、画像群Ａの最終画像ＥＦや画像群Ｂの最終画像ＥＦは、各々の表示時間が時間Ｔ１に設定されて表示される（ステップＳ１３０）。
【００４７】
図５は、ガイダンス動画の表示制御処理により表示部１３に表示される画像の遷移例であって、図４とは異なる例を示している。図５の例では、画像群Ｃ→画像群Ｄ→画像群Ｅ→画像群Ｃ…というように、画像群Ｃ，Ｄ，Ｅが繰り返し表示される様子を示している。図５の例では、画像群Ｃは、プリンターの筐体の蓋を開ける手順を案内する複数の画像Ｆ，ＥＦによって構成されており、画像群Ｄは、インクカートリッジの交換（脱着）の手順を案内する複数の画像Ｆ，ＥＦによって構成されており、画像群Ｅは、前記蓋を閉じる手順を案内する複数の画像Ｆ，ＥＦによって構成されている。
【００４８】
この場合、画像群Ｃと画像群Ｄは、操作対象および画像のアングルがいずれも異なるので、明らかに第１画像群と第２画像群の関係性が成り立つ（構成に相違有り）。同様に、画像群Ｄと画像群Ｅは、操作対象および画像のアングルがいずれも異なるので、明らかに第１画像群と第２画像群の関係性が成り立つ（構成に相違有り）。一方、画像群Ｅと画像群Ｃは、操作対象（前記蓋）および画像のアングルがいずれも同じであるため、第１画像群と第２画像群の関係性が成り立たない（構成に相違無し）。従って、画像群Ｃの画像Ｆ、画像群Ｄの画像Ｆ、画像群Ｅの画像Ｆおよび画像群Ｅの最終画像ＥＦは、各々の表示時間が時間Ｔ２に設定されて表示される（ステップＳ１７０）。また、画像群Ｃの最終画像ＥＦや画像群Ｄの最終画像ＥＦは、各々の表示時間が時間Ｔ１に設定されて表示される（ステップＳ１３０）。
【００４９】
３．文字量に応じた表示制御処理：
文字量に応じた表示制御処理について説明する。
ステップＳ１２０では、制御部１１は、現画像群の全ての画像を表示するために必要な時間（現画像群のトータル表示時間）を算出する。現画像群（例えば、画像群Ａ）を構成する画像数が最終画像（次に表示する画像）を含めて５画像であるとする。また、上述したように時間Ｔ１＝３秒、時間Ｔ２＝１秒であるとすると、４×１秒＋１×３秒＝７秒が、現画像群のトータル表示時間となる。また、制御部１１は、前記文字量に応じた下限値を、表示時間下限値テーブル５０を参照して取得する。
【００５０】
図６は、表示時間下限値テーブル５０の一例である。表示時間下限値テーブル５０は、例えば、記憶部１５に予め記憶されている。図４や図５では、ガイダンス動画として複数の画像（イラストや写真）を連続的に表示する例を示したが、表示装置１０は、画像群とともに文字列を表示部１３に表示する。ここで言う文字列とは、画像群が示す操作手順を言葉で説明するものであり、例えば、前記トレイへの用紙のセットの手順を言葉で説明する説明文や、前記インクカートリッジの交換の手順を言葉で説明する説明文等である。なお、表示時間下限値テーブル５０は、必ずしもテーブルという形である必要は無く、前記文字量に応じた下限値を取得できる情報であればよい。
【００５１】
本実施形態では、画像群とともに表示するための文字列を示す文字データＣＤが、動画データＶＤ（画像群）と同様に記憶部１５に記憶されているとする。また、動画データＶＤ（画像群）のそれぞれに対して、ともに表示すべき文字データＣＤが紐付けられている。制御部１１は、ある画像群を表示部１３に表示させる期間（当該画像群の先頭画像から最終画像までを表示する期間）において、当該画像群に紐付けられている文字データＣＤに基づいて、文字列を当該画像群の各画像に重畳して表示部１３に表示する。
【００５２】
ステップＳ１２０では、制御部１１は、現画像群（例えば、画像群Ａ）に紐付けられている文字データＣＤが示す文字列の文字数を数え、当該文字数に対応した画像群トータル表示時間下限値（以下、下限値）を表示時間下限値テーブル５０から取得する。表示時間下限値テーブル５０は、文字数と下限値との対応関係を規定している。表示時間下限値テーブル５０が規定する下限値は、対応する文字数の文字列を画像群とともに表示する場合に画像群の表示時間に求められる最低限の時間である。言い換えると、表示時間下限値テーブル５０が規定する下限値は、対応する文字数の文字列をユーザーが読むために最低限確保すべき時間である。図６によれば、１０文字以下の文字列に対応する下限値は３秒と規定されており、１０文字超〜２０文字以下の文字列に対応する下限値は５秒と規定されている。むろん図６は例示であり、図６に示す具体的な値により本願の開示範囲が狭められることはない。
【００５３】
ステップＳ１２０では、制御部１１は、上述のように算出した現画像群のトータル表示時間と、現画像群に紐付けられている文字データＣＤ（文字列）の文字数に応じて表示時間下限値テーブル５０から取得した下限値とを比較する。そして、現画像群のトータル表示時間≧取得した下限値、であればステップＳ１３０へ進み、現画像群のトータル表示時間＜取得した下限値、であればステップＳ１４０へ進む。
【００５４】
ステップＳ１４０では、制御部１１は、次に表示する画像（現画像群の最終画像）の表示時間を“時間Ｔ１＋下限値までの不足分”に設定し、当該設定した時間の間、当該次の画像を表示部１３に表示させる。ステップＳ１４０で時間Ｔ１に加える下限値までの不足分は、ステップＳ１２０で取得した下限値とステップＳ１２０で算出した現画像群のトータル表示時間との差分である。このようにステップＳ１００，Ｓ１１０，Ｓ１２０，Ｓ１４０の流れによれば、表示装置１０は、所定の時間幅（時間Ｔ１）以上とする場合の画像群の最終画像を表示する時間幅を、当該画像群とともに表示する文字列の量（文字数）に応じて決定する。これにより、最終画像を含めた画像群の実際のトータルの表示時間を、画像群とともに表示する文字列の量に対応した時間（下限値）とすることができ、画像群とともに表示する文字列による操作説明をユーザーは的確に理解することが可能となる。
【００５５】
ステップＳ１５０では、制御部１１は、現画像群のトータル表示時間が文字量に応じた下限値に達するか否かを判定する。そして、現画像群のトータル表示時間が当該下限値に達する場合（ステップＳ１５０において“Ｙｅｓ”）、ステップＳ１７０へ進み、現画像群のトータル表示時間が当該下限値未満である場合（ステップＳ１５０において“Ｎｏ”）、ステップＳ１６０へ進む。つまり、ステップＳ１５０においても、制御部１１は、現画像群のトータル表示時間を算出する。ただし、ステップＳ１５０では、ステップＳ１１０における“Ｎｏ”の判定を経ているため、ステップＳ１２０とは異なり、最終画像の表示時間は時間Ｔ２であることを前提に計算を行う。現画像群（例えば、画像群Ａ）を構成する画像数が最終画像（次に表示する画像）を含めて５画像であるとする。また、上述したように時間Ｔ２＝１秒であるとすると、５×１秒＝５秒が、現画像群のトータル表示時間となる。また、制御部１１は、文字量に応じた下限値を、表示時間下限値テーブル５０を参照して取得する。文字量に応じた下限値の取得方法は、ステップＳ１２０で説明した通りである。ステップＳ１５０では、制御部１１は、算出した現画像群のトータル表示時間と、取得した下限値とを比較し、現画像群のトータル表示時間≧取得した下限値、であればステップＳ１７０へ進み、現画像群のトータル表示時間＜取得した下限値、であればステップＳ１６０へ進む。
【００５６】
ステップＳ１６０では、制御部１１は、次に表示する画像（現画像群の最終画像）の表示時間を“時間Ｔ２＋下限値までの不足分”に設定し、当該設定した時間の間、当該次の画像を表示部１３に表示させる。ステップＳ１６０で時間Ｔ２に加える下限値までの不足分は、ステップＳ１５０で取得した下限値とステップＳ１５０で算出した現画像群のトータル表示時間との差分である。このようにステップＳ１００，Ｓ１１０，Ｓ１５０，Ｓ１６０の流れによれば、表示装置１０は、画像群の最終画像を表示する時間幅を、当該画像群とともに表示する文字列の量（文字数）に応じて時間Ｔ２よりも増やす。これにより、結果的にはステップＳ１００，Ｓ１１０，Ｓ１２０，Ｓ１４０の流れと同様に、最終画像を含めた画像群の実際のトータルの表示時間を、画像群とともに表示する文字列の量に対応した時間（下限値）とすることができ、文字列による操作説明をユーザーは的確に理解することが可能となる。
【００５７】
文字量に応じた表示制御処理まで考慮すると、図４に例示した画像群Ａの最終画像ＥＦや画像群Ｂの最終画像ＥＦは、各々の表示時間がステップＳ１４０により“時間Ｔ１＋下限値までの不足分”に設定されて表示される可能性がある。同様に、図５に例示した画像群Ｃの最終画像ＥＦや画像群Ｄの最終画像ＥＦは、各々の表示時間がステップＳ１４０により“時間Ｔ１＋下限値までの不足分”に設定されて表示される可能性がある。また、図５に例示した画像群Ｅの最終画像ＥＦは、表示時間がステップＳ１６０により“時間Ｔ２＋下限値までの不足分”に設定されて表示される可能性がある。なお、図４，５では、画像群Ａ，Ｂ，Ｃ，Ｄ，Ｅのそれぞれとともに表示される文字列については表記を省略している。
【００５８】
４．まとめ：
このように本実施形態によれば、表示装置１０は、一部のオブジェクトが共通する複数の画像から構成される第１画像群（例えば、画像群Ａ）の各画像を所定の時間幅（時間Ｔ１）未満の時間幅（時間Ｔ２）で順次切り替えて表示部１３に表示する。そして、第１画像群の表示後に、続いて第１画像群とは前記一部のオブジェクトが共通しない第２画像群（例えば、画像群Ｂ）を表示部１３に表示する場合は、第１画像群の最終画像を表示する時間幅を所定の時間幅（時間Ｔ１）以上とする。また、見方を変えれば、表示装置１０は、一部のオブジェクトが共通する複数の画像から構成される第１画像群（例えば、画像群Ｂ）の各画像を所定の時間幅（時間Ｔ１）未満の時間幅（時間Ｔ２）で順次切り替えて表示部１３に表示し、第１画像群の表示直前に、第１画像群とは前記一部のオブジェクトが共通しない第２画像群（例えば、画像群Ａ）を表示部１３に表示する場合は、第２画像群の最終画像を表示する時間幅を所定の時間幅（時間Ｔ１）以上とする、と言える。つまり、構成が相違する第１画像群と第２画像群との間で表示が切り替わる際、先に表示している画像群の最終画像が、最終画像以外の画像よりも長い時間表示される。これにより、表示部１３に表示されるガイダンス動画（第１画像群、第２画像群を含んで構成される動画）を見ているユーザーは、画像群による電子機器３０の操作説明を的確に理解することができる。
【００５９】
また本実施形態によれば、表示装置１０は、第１画像群と第２画像群とを含む複数の画像群の連続した表示を繰り返し実行する。そして、第１画像群（例えば、画像群Ａ）の最終画像だけでなく、第１画像群に続けて表示される第２画像群（例えば、画像群Ｂ）の最終画像の表示時間も、所定の時間幅（時間Ｔ１）以上の時間幅とする。また、見方を変えれば、表示装置１０は、第１画像群（例えば、画像群Ｂ）の最終画像だけでなく、第１画像群の直前に表示される第２画像群（例えば、画像群Ａ）の最終画像の表示時間も所定の時間幅（時間Ｔ１）以上の時間幅とする。これにより、表示部１３に表示される第１画像群と第２画像群とを含む複数の画像群が連続するガイダンス動画を繰り返し見ているユーザーは、画像群による電子機器３０の操作説明を的確に理解することができる。
【００６０】
また本実施形態によれば、第１画像群と第２画像群は、例えば、電子機器３０における異なる操作対象についての説明をするための画像群である。当該構成によれば、構成が大きく異なる第１画像群、第２画像群が連続して表示される場合に、ユーザーは、各画像群による説明を的確に理解することができる。
また、第１画像群と第２画像群は、例えば、電子機器３０における同一の操作対象についての説明をするための画像群である。当該構成によれば、同一の操作対象についての例えばアングルが異なる第１画像群、第２画像群が連続して表示される場合に、ユーザーは、画像群による説明を的確に理解することができる。
【００６１】
さらに本実施形態によれば、所定の時間幅（時間Ｔ１）の一例として３秒という時間を採用する。第１画像群（及び又は第２画像群）の最終画像を表示する時間幅をこのような時間Ｔ１以上とすることで、認知心理学的にもユーザーは第１画像群（及び又は第２画像群）による説明を確実に理解できると言える。
【００６２】
５．変形例：
本実施形態は、以下に説明するような変形例も採用することができる。
図７は、一つの変形例にかかるガイダンス動画の表示制御処理をフローチャートにより示している。当該フローチャートは、制御部１１が表示制御プログラム１２と協働して実現する。図７を図２と比較して概略的に言い表すと、図７は、図２におけるステップＳ１１０の処理（現画像群に対して次画像群は構成が異なるか否かを判定する処理）を有さない、ガイダンス動画の表示制御処理である。
【００６３】
ステップＳ２００は、ステップＳ１００（図２）と同様の処理である。
また、ステップＳ２１０では、制御部１１は、ステップＳ１２０（図２）と同様の方法により判定を行う。ただし当該変形例では、画像群を構成する画像毎の基本的な表示時間は時間Ｔ３であることを前提に計算を行う。時間Ｔ３は、時間Ｔ２と同じであってもよいし異なっていてもよい。なお、時間Ｔ３を時間Ｔ１程度とすることは現実的でない。ここでは、時間Ｔ３＝１秒と仮定する。現画像群（例えば、画像群Ａ）を構成する画像数が最終画像（次に表示する画像）を含めて５画像であるとする。上述したように時間Ｔ３＝１秒であるとすると、５×１秒＝５秒が、現画像群のトータル表示時間となる。また、制御部１１は、文字量に応じた下限値を、表示時間下限値テーブル５０を参照して取得する。文字量に応じた下限値の取得方法は、ステップＳ１２０で説明した通りである。ステップＳ２１０では、制御部１１は、算出した現画像群のトータル表示時間と、取得した下限値とを比較し、現画像群のトータル表示時間≧取得した下限値、であればステップＳ２３０へ進み、現画像群のトータル表示時間＜取得した下限値、であればステップＳ２２０へ進む。
【００６４】
ステップＳ２２０では、制御部１１は、次に表示する画像（現画像群の最終画像）の表示時間を“時間Ｔ３＋下限値までの不足分”に設定し、当該設定した時間の間、当該次の画像を表示部１３に表示させる。ステップＳ２２０で時間Ｔ３に加える下限値までの不足分は、ステップＳ２１０で取得した下限値とステップＳ２１０で算出した現画像群のトータル表示時間との差分である。一方、ステップＳ２３０では、制御部１１は、次に表示する画像（現画像群の最終画像ではない画像、または現画像群の最終画像）の表示時間を時間Ｔ３に設定し、当該設定した時間Ｔ３の間、当該次の画像を表示部１３に表示させる。
【００６５】
このような変形例によれば、表示装置１０は、画像群の最終画像を表示する時間幅を、当該画像群とともに表示する文字列の量（文字数）に応じて決定する。これにより、最終画像を含めた画像群の実際のトータルの表示時間を、画像群とともに表示する文字列の量に対応した時間（下限値）とすることができ、画像群とともに表示する文字列による操作説明をユーザーは的確に理解することが可能となる。つまり、当該変形例は、電子機器の操作説明のための画像を表示部に表示する表示装置であって、複数の画像から構成される画像群の各画像を特定の時間幅（時間Ｔ３）で順次切り替えて前記表示部に表示し、前記画像群の最後の画像を表示する時間幅を、当該画像群とともに表示する文字列の量に応じて前記特定の時間幅よりも長くする構成を提示する。
【００６６】
さらなる変形例として、これまで説明した文字量に応じた下限値は、電子機器３０の言語に応じて異なるとしてもよい。電子機器３０は、様々な言語の使用者に使用される可能性がある。従って、画像群とともに表示部１３に表示される文字列（文字データＣＤが表す文字列）は、日本語以外の言語（英語、中国語、フランス語、スペイン語、ドイツ語…等）である場合も考えられる。そこで、表示時間下限値テーブル５０は、言語別に用意されている。例えば、英語と中国語とを使用可能である電子機器３０（表示装置１０）に搭載される表示時間下限値テーブル５０は、画像群とともに表示される英文（文字列）の量と下限値との対応関係を規定したテーブルとされる。英文の場合、単純に文字数と下限値とを対応させることは適切でないため、英語圏に対応する表示時間下限値テーブル５０は、例えば、英文を構成する単語数（文字列の量の一例）に応じて下限値が増える関係性を有する。そして、ユーザーや制御部１１が英語表示を選択した場合には、英語の文字列と英語の表示時間下限値テーブル５０を選択し、ユーザーや制御部１１が中国語表示を選択した場合には、中国語の文字列と中国語の表示時間下限値テーブル５０を選択する。このように、電子機器３０の言語に応じて異なる表示時間下限値テーブル５０を採用することで、いずれの言語でも、画像群とともに表示する文字列による操作説明をユーザーに的確に理解させることができる。
【符号の説明】
【００６７】
１０…表示装置、１１…制御部、１２…表示制御プログラム、１３…表示部、１４…操作受付部、１５…記憶部、２０…動作部、２１…印刷ヘッド、２２…キャリッジ、２３…搬送部、３０…電子機器、４０…画像群条件テーブル、５０…表示時間下限値テーブル、ＣＤ…文字データ、ＶＤ…動画データ
【図１】
2018004978.tif 000003
【図２】
2018004978.tif 000004
【図３】
2018004978.tif 000005
【図４】
2018004978.tif 000006
【図５】
2018004978.tif 000007
【図６】
2018004978.tif 000008
【図７】
2018004978.tif 000009